(57)【要約】【課題】利用者が生体情報を利用する場所で生体情報を登録でき、その登録した場所とは異なった場所で生体情報を利用するシステムおよび方法を提供する。【解決手段】利用者の生体情報を読み取る第１の読取部と、情報処理装置からの指示に従って読取られた生体情報を登録する登録部と、登録された生体情報をデータセンタに送信する第１の通信部とを有した登録装置と、利用者からの指示に従って登録装置への生体情報の登録を指示する指示部と、指示を登録装置に送信する第２の通信部とを備えた情報処理装置と、登録された生体情報を記憶する生体情報保持部と、登録装置から登録された生体情報を受信して生体情報保持部に記憶し、または利用者が登録された生体情報を用いて自身を認証する認証装置に生体情報保持部に記憶されている生体情報を送信する第３の通信部とを有したデータセンタと、利用者の生体情報を読み取る第２の読取部と、読取られた生体情報とデータセンタから受信した生体情報とを照合し、利用者を認証する認証部とを有した認証装置と、を備える。【選択図】図１
2015170083.tif 000002
【特許請求の範囲】
【請求項１】
利用者の生体情報を読み取る第１の読取部と、情報処理装置からの指示に従って読取られた前記生体情報を登録する登録部と、登録された生体情報をデータセンタに送信する第１の通信部とを有した登録装置と、
利用者からの指示に従って前記登録装置への生体情報の登録を指示する指示部と、前記指示を前記登録装置に送信する第２の通信部とを備えた前記情報処理装置と、
前記登録された生体情報を記憶する生体情報保持部と、前記登録装置から前記登録された生体情報を受信して前記生体情報保持部に記憶し、または利用者が前記登録された生体情報を用いて自身を認証する認証装置に前記生体情報保持部に記憶されている生体情報を送信する第３の通信部とを有したデータセンタと、
利用者の生体情報を読み取る第２の読取部と、読取られた生体情報と前記データセンタから受信した生体情報とを照合し、前記利用者を認証する認証部とを有した認証装置と、
を備えたことを特徴とする生体情報登録認証システム。
【請求項２】
前記登録装置は、登録されている生体情報と読取られた生体情報とに基づいて前記利用者を認証する認証部をさらに備える、
ことを特徴とする請求項１に記載の生体情報登録認証システム。
【請求項３】
前記登録装置は、前記登録部が、生体情報の登録結果または現在登録されている生体情報を前記情報処理装置に送信し、
前記情報処理装置は、前記登録装置による生体情報の登録結果または生体情報の登録状況を表示する表示部、
をさらに備えることを特徴とする請求項１または２に記載の生体情報登録認証システム。
【請求項４】
前記生体情報登録認証システムは、異なる場所のそれぞれに前記登録装置を備え、
一の前記登録装置の登録部は、他の前記登録装置から送信されて前記データセンタの前記生体情報保持部に記憶されている前記利用者についての生体情報の送信を要求し、受信した生体情報を記憶部に記憶する、
ことを特徴とする請求項１〜３のいずれか１項に記載の生体情報登録認証システム。
【請求項５】
利用者の生体情報を読み取る第１の読取ステップと、
利用者からの指示に従って登録装置への生体情報の登録を指示する指示ステップと、
前記指示を前記登録装置に送信する第１の送信ステップと、
情報処理装置からの指示に従って読取られた前記生体情報を登録する登録ステップと、
登録された生体情報をデータセンタに送信する第２の送信ステップと、
前記登録装置から前記登録された生体情報を受信して前記登録された生体情報を記憶する生体情報保持部に記憶する記憶ステップと、
利用者が前記登録された生体情報を用いて自身を認証する認証装置に前記生体情報保持部に記憶されている生体情報を送信する第３の送信ステップと、
利用者の生体情報を読み取る第２の読取ステップと、
読取られた生体情報と前記データセンタから受信した生体情報とを照合し、前記利用者を認証する認証ステップと、
を含むことを特徴とする生体情報登録認証方法。
【発明の詳細な説明】
【技術分野】
【０００１】
本発明は、生体情報登録認証システム及び生体情報登録認証方法に関する。
【背景技術】
【０００２】
従来から、指紋や静脈等の生体を認証する様々な技術がある。例えば、特許文献１では、生体情報の登録者が生体情報を登録し、様々な施設で個人認証を要することとなった時に、この施設の電子端末から生体情報バンクに登録者の既登録生体情報の貸出しを要請し、電子端末で入力された生体情報と既登録生体情報と比較して認証している。また、特許文献２では、部屋の入室許可の認証に必要な情報を入力する入力装置から入力された情報に基づいて、各部屋に設けられた認証装置が入室許可の認証を行い、個人情報の機密性を高めつつシステムの管理費用の低減している。
【先行技術文献】
【特許文献】
【０００３】
【特許文献１】特開２０１１−２５７８１８号公報
【特許文献２】特開２００５−２３２７５４号公報
【発明の概要】
【発明が解決しようとする課題】
【０００４】
上記特許文献１には、生体情報貸出しシステム及び生体情報貸出し方法が記載されている。しかし、特許文献１の生体情報登録方法は本人が登録センタに赴きあらかじめ登録する必要がある。また、上記特許文献２には、セキュリティ管理システムによりマンション等で生体情報を扱う方法が記載されている。しかし、特許文献２のセキュリティ管理システムでは、生体情報を複数の場所で利用することが困難である。
【０００５】
そこで、本発明は、利用者が生体情報を利用する場所で生体情報を登録でき、その登録した場所とは異なった場所で生体情報を利用する方法を提供する。
【課題を解決するための手段】
【０００６】
上述した課題を解決し、目的を達成するために、本発明にかかる生体情報登録認証システムは、利用者の生体情報を読み取る第１の読取部と、情報処理装置からの指示に従って読取られた前記生体情報を登録する登録部と、登録された生体情報をデータセンタに送信する第１の通信部とを有した登録装置と、利用者からの指示に従って前記登録装置への生体情報の登録を指示する指示部と、前記指示を前記登録装置に送信する第２の通信部とを備えた前記情報処理装置と、前記登録された生体情報を記憶する生体情報保持部と、前記登録装置から前記登録された生体情報を受信して前記生体情報保持部に記憶し、または利用者が前記登録された生体情報を用いて自身を認証する認証装置に前記生体情報保持部に記憶されている生体情報を送信する第３の通信部とを有したデータセンタと、利用者の生体情報を読み取る第２の読取部と、読取られた生体情報と前記データセンタから受信した生体情報とを照合し、前記利用者を認証する認証部とを有した認証装置と、を備えたことを特徴とする生体情報登録認証システムとして構成される。
【０００７】
また、本発明は、上記生体情報登録認証システムで行われる生体情報登録認証方法としても把握される。
【発明の効果】
【０００８】
本発明によれば、利用者が生体情報を利用する場所で生体情報を登録でき、その登録した場所とは異なった場所で生体情報を利用する方法を提供することができる。
【図面の簡単な説明】
【０００９】
【図１】生体情報登録・認証システムの構成例を示す図である。
【図２】生体情報登録・認証システムの機能的な構成を示すブロック図である。
【図３】生体情報預かり手段がデータベースである場合に保持される項目の例を示す図である。
【図４】本システムにおける指静脈情報登録処理の処理手順を示すフローチャートである。
【図５】ＷｅｂＴＶから生体認証装置に接続する場合の画面例を示す図である。
【図６】情報作成手段が作成するメニューの例を示す図である。
【図７】生体情報登録情報入力画面の例を示す図である。
【発明を実施するための形態】
【実施例１】
【００１０】
以下に添付図面を参照して、本発明にかかる生体情報登録認証システム及び生体情報登録・認証方法の実施の形態を詳細に説明する。本実施例では、マンション１の居住者が生体情報をデータセンタ２に預け、ゲームセンタ３のコイン貸出機で同じ生体情報利用する例を説明するが、生体情報を登録または認証する場所であれば、特にこれらの施設でなくとも構わない。
【００１１】
また、本実施例において使用可能な生体情報としては、例えば、指静脈等の静脈パターン、指紋、声紋、アイリス、顔、網膜パターン、皮膚の電気抵抗、手形、打鍵パターンおよびＤＮＡがある。以下、指静脈パターン（指静脈という。）を例にとって説明するが、他の生体情報についても適用可能であり、いくつかの生体情報を組み合せても用いることが可能である。
〔システム基本構成〕
図１は、本発明に係る生体情報登録認証システム１０００の構成例を示す図である。図１に示すように、生体情報登録認証システム１０００は、利用者が居住するマンション１と、利用者の指静脈情報を預けるデータセンタ２と、利用者が指静脈情報を利用するゲームセンタ３とによって構成されている。なお、マンション１とデータセンタ２との間、およびデータセンタ２とゲームセンタ３との間は、それぞれインターネット等の一般的な公衆回線網Ｎ１、Ｎ２により接続されている。
【００１２】
マンション１は、各室１１及びエントランス１２を備え、各室１１は、各室１１の居住者を認証するための生体認証装置１１１と、各室１１の居住者が番組の視聴やインターネットの閲覧し、居住者からの指示に従って指静脈情報の登録、認証、照会等の指静脈情報に関する処理を実行するＷｅｂＴＶ１１２と、各室１１の居住者が認証された場合に開閉する電気錠１１３とを有している。また、エントランス１２は、マンションの居住者を認証するための共通入力装置１２１及び共通入力装置１２１が利用者を認証した場合に開閉する自動ドア１２２を備える。データセンタ２は、利用者の指静脈情報を蓄積するサーバ２１を備え、サーバ２１はサービス提供部２１１を備える。ゲームセンタ３は、貸しコイン機３１を備え、貸しコイン機３１は、利用者を認証する認証装置３１１及び利用者を認証した場合にコインを貸し出す貸しコイン装置３１２を備える。まず、本システムの全体的な処理の流れについて説明する。
【００１３】
マンション１の住人は、各室１１に設置されたＷｅｂＴＶ１１２から、リモコン操作等によって認証端末１１１に指静脈情報の登録を指示する。認証端末１１１は、ＷｅｂＴＶ１１２による指示に従い入力された指の指静脈情報を読取り、認証端末１１１内にあるメモリ等によって構成される情報保持手段１１１２に保存する。
【００１４】
住人がエントランス１２において共通入力装置１２１に各室番号を入力し、共通入力装置１２１の生体読取手段１２１３がその住人の指から指静脈情報を読取ると、共通入力装置１２１の生体情報送信手段１２１２は各室番号に割り当てられた認証端末１１１に指静脈情報を送信する。認証端末１１１の照合手段１１１７は、共通入力装置１２１から受信した指静脈情報と、情報保持手段１１１２に登録されている指静脈情報とを照合し、照合結果送信手段１１１８は、照合結果を共通入力装置１２１に送信する。共通入力装置１２１は、認証端末１１１から受信した照合結果に基づき、自動ドア１２２の開閉を制御する。
【００１５】
マンション内に入った住人は、各室１１の認証端末１１１の生体読取手段１１１５に指をかざす等して指静脈情報を読取り、照合手段１１１７が、読取った指静脈情報と登録されている指静脈情報とを照合し、照合結果に基づき電気錠１１３の開閉を制御する。
【００１６】
住人からの操作により、各室１１に設置されたＷｅｂＴＶ１１２の登録指示手段１１２４は、認証端末１１１に指静脈情報の送信を指示する。認証端末１１１の生体情報送信手段１１１９は、ＷｅｂＴＶ１１２の指示に従い、登録された指静脈情報をデータセンタ２に送信する。データセンタ２の生体情報受信手段２１１１は、受信した指静脈をサーバ２１内のサービス提供部２１１が有する生体情報預かり手段２１１２に保存する。
【００１７】
住人からの操作により、ゲームセンタ３の貸コイン機３１は、貸しコイン装置３１２の受信指示手段３１２３が、データセンタ２に指静脈情報の送信を指示する。データセンタ２のサーバ２１内のサービス提供部２１１は、指示に従い保存されている指静脈情報を認証装置３１１に送信する。認証装置３１１の生体情報受信手段３１１５が指静脈情報を受信し、生体読取手段３１１３が指から指静脈を読取ると、照合手段３１１４が受信された指静脈情報と読取られた指静脈情報との間で認証を行い、コイン管理手段３１２５は、その照合結果に基づき、貸コイン装置３１２でメダルの払い出し制御や結果表示を行う。
【００１８】
図２は、本実施例における生体情報登録認証システム１０００の機能的な構成を示すブロック図である。図２に示すように、生体認証装置１１１は、情報作成手段１１１１と、情報保持手段１１１２と、初期化手段１１１３と、登録手段１１１４と、生体読取手段１１１５と、読取生体情報受信手段１１１６と、照合手段１１１７と、照合結果送信手段１１１８と、生体情報送信手段１１１９とを備えている。また、ＷｅｂＴＶ１１２は、接続手段１１２１と、情報表示手段１１２２と、初期化指示手段１１２３と、登録指示手段１１２４と、送信指示手段１１２５とを備えている。共通入力装置１２１は、照合結果受信手段１２１１と、生体情報送信手段１２１２と、生体読取手段１２１３とを備えている。
【００１９】
サービス提供部２１１は、生体情報受信手段２１１１と、生体情報預かり手段２１１２と、生体情報送信手段２１１３とを備えている。認証装置３１１は、情報作成手段３１１１と、情報保持手段３１１２と、生体読取手段３１１３と、照合手段３１１４と、生体情報受信手段３１１５とを備えている。貸しコイン装置３１２は、接続手段３１２１と、情報表示手段３１２２と、受信指示手段３１２３と、認証指示手段３１２４と、コイン管理手段３１２５とを備えている。
【００２０】
ＷｅｂＴＶ１１２の接続手段１１２１は、住人がリモコンやマウスなどの入力装置から入力したアドレスに従い、生体認証装置１１１への接続を確立する。接続された生体認証装置１１１では、情報作成手段１１１１が情報保持手段１１１２に保持された現在の指静脈情報の登録状況を示す情報を含む指静脈情報に関する各種情報を生成する。初期化手段１１１３は登録されている指静脈情報を初期化する。登録手段１１１４は生体読取手段１１１５が読み取った指静脈情報を生体認証装置１１１に登録する。読取生体受信手段１１１６は共通入力装置１２１から指静脈情報を受信する。照合手段１１１７は指静脈情報を照合して利用者を認証し、照合結果送信手段１１１８が指静脈情報の照合結果をＷｅｂＴＶ１１２に送信する。また、生体情報送信手段１１１９は、読取られた指静脈情報の受信可否についての選択情報を情報表示手段１１２２に送信する。照合手段１１１７が利用者を認証することにより、各居室でのセキュリティを維持することができる。
【００２１】
次に、情報表示手段１１２２は、住人の指示に従い指静脈情報の初期化を初期化指示手段１１２３に指示する。初期化指示手段１１２３は、指静脈情報の初期化指示を初期化手段１１１３に送信する。初期化手段１１１３は、情報保持手段１１１２に保持された指静脈情報を全て削除し、削除完了結果を情報表示手段１１２２に送信する。
【００２２】
次に、情報表示手段１１２２は、住人の指示に従い、指静脈情報の登録を登録指示手段１１２４に指示する。登録指示手段１１２４は、指静脈情報の登録指示を登録手段１１１４に送信する。登録手段１１１４は、生体読取手段１１１５に指静脈情報の読取りを指示する。生体読取手段１１１５は、挿入された指から指静脈情報を読取り、登録手段１１１４に読取り完了と指静脈情報を送信する。生体読取手段１１１５は受信した結果に従い情報保持手段１１１２に指静脈情報を登録し、登録結果を情報表示手段１１２２に送信する。情報表示手段１１２２が登録結果を表示することにより、住人である利用者は自身の登録内容を容易に確認することができる。また、後述するように、情報表示手段１１２２が現在の登録内容を表示することにより、利用者が現在どの指について指静脈情報を登録しているかを容易に把握することができる。
【００２３】
共通入力装置１２１の生体読取手段１２１３は、住人が各室の番号を入力し指を挿入された場合に、その指から指静脈情報を読取り、生体情報送信手段１２１２に読取り完了と指静脈情報と各室の番号とを送信する。生体情報送信手段１２１２は、受信した各室の番号に対応したアドレスの読取生体受信手段１１１６に読取られた指静脈情報を送信する。読取生体受信手段１１１６は、受信した指静脈情報を照合手段１１１７に送信する。照合手段１１１７は、受信した指静脈情報と情報保持手段１１１２に登録されている指静脈情報とを照合し、その照合結果を照合結果送信手段１１１８に送信する。照合結果送信手段１１１８は、照合結果受信手段１２１１に照合結果を送信する。照合結果受信手段１２１１は、照合結果に基づき自動ドアの開錠や結果の表示を行う。
【００２４】
情報表示手段１１２２は、住人の指示に従い指静脈情報の送信を送信指示手段１１２５に指示する。送信指示手段１１２５は、指静脈情報の送信指示を生体情報送信手段１１１９に送信する。生体情報送信手段１１１９は、情報保持手段１１１２に保持された指静脈情報をサービス提供部２１１の生体情報受信手段２１１１に送信する。生体情報受信手段２１１１は、受信した指静脈情報を生体情報預かり手段２１１２に登録し、保存結果を生体情報送信手段１１１９に送信する。生体情報送信手段１１１９は、保存結果を情報表示手段１１２２に送信する。
【００２５】
ゲームセンタ内に設置された貸コイン機３１は、利用者の受信指示手段３１２３からの受信指示に従い、接続手段３１２１から生体情報受信手段３１１５に指静脈情報の受信を指示する。生体情報受信手段３１１５は、データセンタ２内のサーバ２１にあるサービス提供部２１１の生体情報送信手段２１１３に、指静脈情報の送信を指示する。生体情報送信手段２１１３は、生体情報預かり手段２１１２から利用者の指定した指静脈情報を生体情報受信手段３１１５に送信する。生体情報受信手段３１１５は、受信した指静脈情報を生体情報保持手段３１１２に保存し、保存が完了したことを情報表示手段３１２２に通知する。情報表示手段３１２２は、利用者に認証可能と表示する。
【００２６】
利用者は、認証指示手段３１２３から認証を指示する。認証指示手段３１２３は、情報作成手段３１１１に照合を指示する。情報作成手段３１１１は、まず、生体情報読取手段３１１３を用いて指静脈情報を読み取る。次に、情報作成手段３１１１は、情報保持手段３１１２から指静脈情報を取得し、生体情報読取手段３１１３が取得した指静脈情報と合せて、照合手段３１１４に照合を指示する。照合手段３１１４は、これらの二つの指静脈情報を照合し本人かどうか判断を行い、その照合結果を情報作成手段３１１１に通知する。情報作成手段３１１１は、照合結果を情報表示手段３１２２に通知するとともに、認証指示手段３１２４に照合結果を通知する。情報表示手段３１２２は照合結果を表示する。認証指示手段３１２４は照合結果に従い、貸しコインの残高から指定された量のコインの払い出しや、残高の変更を行う。コインの預け入れ時も払い出しと同様の処理を行い貸しコインの管理を行う。
【００２７】
図３は、生体情報預かり手段２１１２がデータベースである場合に保持される項目の例を示す図である。図３に示すように、データベースは、マンション１ごとのユーザＩＤである仮ユーザＩＤと、本システムの利用者を識別するためのユーザＩＤと、認証に用いる生体情報の種別と、その利用者の生体情報と、認証に用いる生体の種類を示す登録属性と、本システムを利用する際のパスワードとが対応付けて記憶されている。図３では、例えば、マンション１の住人であって、仮ユーザＩＤ「４２３１０１」で識別される住人は、本システムのユーザＩＤが「０７３００２８６０８４２３１０１」であり、指静脈による認証を行い、その際に用いられる指は右手の中指であることを示している。また、その指静脈情報は「０ｘ９９８８７７ＡＡＢＢ」であり、パスワードは「ＲＳ７８２１１」であることを示している。
【００２８】
図４は、本システムにおける指静脈情報登録処理の処理手順を示すフローチャートである。図４に示すように、ＷｅｂＴＶ１１２の接続手段１１２１は、住人がリモコンから入力したアドレスに従い、生体認証装置１１１に接続する（Ｓ１１）。図５は、ＷｅｂＴＶ１１２から生体認証装置１１１に接続する場合の画面例を示す図である。図５に示すように、ＷｅｂＴＶ１１２の情報表示手段１１２２は、ＴＶ機能、ゲーム機能、指静脈登録機能などのＷｅｂＴＶ１１２に備えられた各種機能メニューを表示し、指静脈登録機能の選択を受け付ける。
【００２９】
生体認証装置１１１は、情報作成手段１１１１がメニュー(指静脈情報登録状況、初期化、指静脈の登録、指静脈情報の送信、読取指静脈情報の受信可否)を作成し、ＷｅｂＴＶ１１２に返信する（Ｓ１２）。図６は、上述したメニューの例を示す図である。図５に示すように、指静脈情報の登録状況の確認、初期化、登録、送受信を選択するメニューが表示され、リモコン等からの操作により、住人はメニューを選択する。以下では、指静脈情報の登録メニューを選択した場合について説明する。
【００３０】
指静脈情報登録状況とは、例えば、家族等の複数人で本システムを利用する場合に、それぞれが登録している指静脈情報を確認するためのメニューである。また、初期化とは、例えば、住人がマンション１から別の住居に転居する際に、自身の指静脈情報をクリアするためのメニューである。指静脈の登録とは、本システムに指静脈情報を登録するためのメニューである。指静脈情報の送信とは、登録した指静脈情報をデータセンタ２に送信してサービス提供部２１１に保持するためのメニューである。利用者は、本システムに指静脈情報を登録後にこのメニューを選択し、登録した指静脈情報をデータセンタ２に預ける。読取指静脈情報の受信可否とは、住人である利用者が転居等によって現在の生体認証装置１１１を備えたマンション１から転居した場合に、データセンタ２に保持されている指静脈情報を受信し、転居先にある生体認証装置に指静脈情報を登録するためのメニューである。転居先の生体認証装置１１１の登録手段１１１４は、ＷｅｂＴＶ１１２からの指示に従ってデータセンタ２のサービス提供部２１１が保持する指静脈情報（図３）の要求を指示し、サービス提供部２１１の生体情報送信手段２１１３は、利用者の指静脈情報を転居先の生体認証装置１１１に送信する。生体認証装置１１１の登録手段１１１４は、受信した指静脈情報を情報保持手段１１１２に記憶する。生体情報送信手段２１１３は、例えば、ユーザＩＤやパスワードにより、その利用者の指静脈情報を特定し、指静脈情報を送信する。このような処理を行うことにより、一度登録した指静脈情報を再登録することなく使用し続けることができ、また、転居等に伴う指静脈情報の再登録することも必要なくなる。
【００３１】
情報表示手段１１２２は、住人によるＷｅｂＴＶ１１２に表示されたメニューからの指静脈情報の登録の選択を受け付ける（Ｓ１３）。生体認証装置１１１は、情報作成手段１１１１が作成した生体情報登録情報入力画面をＷｅｂＴＶ１１２に返信する（Ｓ１４）。図７は、生体情報登録情報入力画面の例を示す図である。図７に示すように、生体情報登録情報入力画面には、仮ユーザＩＤ、登録属性、パスワードの入力欄が設けられている。住人は、ＷｅｂＴＶ１１２に表示された画面に仮ユーザＩＤ(例えば、マンションが４２階３１号室０１人目なら４２３１０１)、登録属性(右中指)、パスワード(ＲＳ７８２１１)を指定し登録ボタンを選択する（Ｓ１５）。４人家族である場合には、仮ユーザＩＤは４２３１０１〜４２３１０４までとなり、それぞれの登録属性およびパスワードを入力する。
【００３２】
生体認証装置１１１の生体読取手段１１１５は、ユーザＩＤに一意情報(例えば、生体認証端末１１を識別するための属性情報)を付与したユーザＩＤを生成し、生体種別(指静脈)を付与して指静脈情報を読み取る（Ｓ１６）。
【００３３】
生体読取手段１１１５は、住人の指が読み取れた場合は指静脈情報の読取が成功するまで、規定回数の再読取をおこなう（Ｓ１７）。指静脈情報の読取が成功した場合（Ｓ１７；Ｙｅｓ）、情報保持手段１１１２に仮ユーザＩＤと生成したユーザＩＤ、登録属性、パスワードを対応付けて保存する（Ｓ１８）。最後に、生体認証装置１１１の生体情報送信手段１１１９は、ＷｅｂＴＶ１１２に作成したユーザＩＤと共に登録成功を通知し、ＷｅｂＴＶ１１２の情報表示手段１１２２は、登録完了画面を表示する。
【００３４】
なお、（Ｓ１４）にて仮ユーザＩＤの生成、パスワードの生成を、情報作成手段１１１１で自動生成する構成も可能である。この場合は、あらかじめマンション内の居室情報を登録しておくとさらに有用である。
【００３５】
また、本実施例では、指静脈情報をデータセンタ２に保管することとしたが、例えば、保管先を電話交換局（電話番号とともに指静脈情報を保管する基地局）としてもよい。この場合、住人は転居に伴って電話番号を変更する必要があるため、指静脈情報もその転居に合わせて一旦削除し、改めて転居先でＷｅｂＴＶ１１２を操作して本システムにアクセスし、新たな電話番号と共に指静脈情報を登録すればよい。
【００３６】
このように、本システムでは上述した処理を実行するので、指静脈情報利用者が指静脈情報を利用する場所で生体情報預かり装置に登録でき、登録した場所とは異なった場所（例えば、マンション・ホテルなどの居住、宿泊施設）で指静脈情報を利用することができる。さらに、指静脈情報を利用する家族・会社などの組織の単位で、指静脈情報の利用場所で生体情報預かり装置への登録を実現でき、また、引越し先のマンション、一時滞在先のホテル、ゲームセンタのコイン貸出機においても同じ指静脈情報を利用でき、指静脈情報の登録顧客にとって極めて便利に個人認証することができる。
【００３７】
また、本発明は上記した実施例に限定されるものではなく、様々な変形例が含まれる。例えば、図２に示した各装置の手段は、１つの手段によって構成されていてもよい。また、指静脈情報の登録等の指示をＷｅｂＴＶ１１２から行っているが、ネットワークに接続されたＰＣやスマートフォン、タッチパッド等の情報処理装置によって実現することとしてもよい。さらに、ゲームセンタ３に備えられた認証装置３１１および貸しコイン装置３１２は１つの筺体であってもよい。なお、本実施例において上述した処理を実行する手段は、実際には、ＣＰＵ（Central Processing Unit）等の演算装置がプログラムを実行することによって実現される。
【符号の説明】
【００３８】
１      マンション
１１    各室
１１１  生体認証装置
１１２  ＷｅｂＴＶ
１１３  電気錠
１２    エントランス
１２１  共通入力装置
１２２  自動ドア
２      データセンタ
２１    サーバ
２１１  サービス
３      ゲームセンタ
３１    貸しコイン機
３１１  認証装置。
【図１】
2015170083.tif 000003
【図２】
2015170083.tif 000004
【図３】
2015170083.tif 000005
【図４】
2015170083.tif 000006
【図５】
2015170083.tif 000007
【図６】
2015170083.tif 000008
【図７】
2015170083.tif 000009